(57)【要約】【課題】既存の現金収受機の中に組み込んで収納代行サービスを実現する装置及びシステムを提供する。【解決手段】自動販売機、アミューズメントゲーム機、コインロッカーなどの現金収受手段を備えた現金収受機に組み込む小額決済装置であって、インターネットに接続するインターネット接続手段と、支払先及び支払額を取得する支払情報取得手段と、前記現金収受手段が収受した現金の額を取得する収受額取得手段と、該収受額取得手段にて取得した収受額が前記支払情報取得手段にて取得した支払額よりも多い場合に、前記支払情報取得手段にて取得した情報を前記インターネット接続手段によりリアルタイムでサーバに送信するとともにおつりの支払い情報を前記現金収受機に伝達する支払情報送信手段と、つり銭切れの場合に、地域通貨又はポイントとして貯めるポイント管理手段とを有する。【選択図】　　図３
0003097521.tif 000002
【実用新案登録請求の範囲】
【請求項１】
自動販売機、アミューズメントゲーム機、コインロッカーなどの現金を収受する現金収受手段を備えた現金収受機に組み込む小額決済装置であって、
インターネットに接続するインターネット接続手段と、
支払先及び支払額を取得する支払情報取得手段と、
前記現金収受手段が収受した現金の額を取得する収受額取得手段と、
該収受額取得手段にて取得した収受額が前記支払情報取得手段にて取得した支払額と同じである場合に、前記支払情報取得手段にて取得した情報を前記インターネット接続手段によりリアルタイムでサーバに送信する支払情報送信手段と、
を有する小額決済装置。
【請求項２】
自動販売機、アミューズメントゲーム機、コインロッカーなどの現金収受手段を備えた現金収受機に組み込む小額決済装置であって、
インターネットに接続するインターネット接続手段と、
支払先及び支払額を取得する支払情報取得手段と、
前記現金収受手段が収受した現金の額を取得する収受額取得手段と、
該収受額取得手段にて取得した収受額が前記支払情報取得手段にて取得した支払額よりも多い場合に、前記支払情報取得手段にて取得した情報を前記インターネット接続手段によりリアルタイムでサーバに送信するとともにおつりの支払い情報を前記現金収受機に伝達する支払情報送信手段と、
を有する小額決済装置。
【請求項３】
自動販売機、アミューズメントゲーム機、コインロッカーなどの現金収受手段を備えた現金収受機に組み込む小額決済装置であって、
インターネットに接続するインターネット接続手段と、
支払先及び支払額を取得する支払情報取得手段と、
前記現金収受手段が収受した現金の額を取得する収受額取得手段と、
該収受額取得手段にて取得した収受額が前記支払情報取得手段にて取得した支払額よりも多い場合に、前記支払情報取得手段にて取得した情報を前記インターネット接続手段によりリアルタイムでサーバに送信するとともにおつりの支払い情報を前記現金収受機に伝達する支払情報送信手段と、
つり銭切れの場合に、地域通貨又はポイントとして貯めるポイント管理手段と
を有する小額決済装置。
【請求項４】
自動販売機、アミューズメントゲーム機、コインロッカーなどの現金を収受する現金収受手段を備えた現金収受機に組み込む小額決済装置と、インターネットを通じて該小額決済装置に接続される決済情報管理サーバとからなる小額決済システムであって、
前記小額決済装置は、
インターネットに接続するインターネット接続手段と、
支払先及び支払額を取得する支払情報取得手段と、
前記現金収受手段が収受した現金の額を取得する収受額取得手段と、
該収受額取得手段にて取得した収受額が前記支払情報取得手段にて取得した支払額と同じである場合に、前記支払情報取得手段にて取得した情報を前記インターネット接続手段によりリアルタイムでサーバに送信する支払情報送信手段と、
を有し、
前記決済情報管理サーバは、支払先サーバ及び収納代行サーバと連携して決裁サービスを実現する
小額決済システム。
【請求項５】
自動販売機、アミューズメントゲーム機、コインロッカーなどの現金を収受する現金収受手段を備えた現金収受機に組み込む小額決済装置と、インターネットを通じて該小額決済装置に接続される決済情報管理サーバとからなる小額決済システムであって、
前記小額決済装置は、
インターネットに接続するインターネット接続手段と、
支払先及び支払額を取得する支払情報取得手段と、
前記現金収受手段が収受した現金の額を取得する収受額取得手段と、
該収受額取得手段にて取得した収受額が前記支払情報取得手段にて取得した支払額よりも多い場合に、前記支払情報取得手段にて取得した情報を前記インターネット接続手段によりリアルタイムでサーバに送信するとともにおつりの支払い情報を前記現金収受機に伝達する支払情報送信手段と、
を有し、
前記決済情報管理サーバは、支払先サーバ及び収納代行サーバと連携して決裁サービスを実現する
小額決済システム。
【請求項６】
自動販売機、アミューズメントゲーム機、コインロッカーなどの現金を収受する現金収受手段を備えた現金収受機に組み込む小額決済装置と、インターネットを通じて該小額決済装置に接続される決済情報管理サーバとからなる小額決済システムであって、
前記小額決済装置は、
インターネットに接続するインターネット接続手段と、
支払先及び支払額を取得する支払情報取得手段と、
前記現金収受手段が収受した現金の額を取得する収受額取得手段と、
該収受額取得手段にて取得した収受額が前記支払情報取得手段にて取得した支払額よりも多い場合に、前記支払情報取得手段にて取得した情報を前記インターネット接続手段によりリアルタイムでサーバに送信するとともにおつりの支払い情報を前記現金収受機に伝達する支払情報送信手段と、
つり銭切れの場合に、地域通貨又はポイントとして貯めるポイント管理手段と
を有し、
前記決済情報管理サーバは、支払先サーバ及び収納代行サーバと連携して決裁サービスを実現する
小額決済システム。
【考案の詳細な説明】
【０００１】
【考案の属する技術分野】本考案は、自動販売機、アミューズメントゲーム機、コインロッカーなどの現金を収受する現金収受手段を備えた現金収受機に組み込む小額決済装置及びそれを用いた小額決済システムに関する。
【０００２】
【従来の技術】従来から、コンビニエンスストアにおいて、インターネット通販の支払いを受け付けるサービスに代表される収納代行業があった。
【０００３】
【考案が解決しようとする課題】本考案の考案者は、コンビニエンスストアのレジに限らず、ジュースの自動販売機や、アミューズメントゲーム機、コインロッカーなど、現金の収受手段を備えた機械（「現金収受機」と略す。）を用いて収納代行サービスを実現することができるのではないかと考えた。そして、既存の現金収受機の中に組み込む装置であって、決裁機能を持たせたものを開発することにより、その課題を解決することができることに気づいた。本考案は、既存の現金収受機の中に組み込んで収納代行サービスを実現する装置及びシステムを提供することを目的とする。
【０００４】
【課題を解決するための手段】かかる課題を解決すべく、本考案にかかる小額決済装置は、自動販売機、アミューズメントゲーム機、コインロッカーなどの現金を収受する現金収受手段を備えた現金収受機に組み込む小額決済装置であって、インターネットに接続するインターネット接続手段と、支払先及び支払額を取得する支払情報取得手段と、前記現金収受手段が収受した現金の額を取得する収受額取得手段と、該収受額取得手段にて取得した収受額が前記支払情報取得手段にて取得した支払額と同じである場合に、前記支払情報取得手段にて取得した情報を前記インターネット接続手段によりリアルタイムでサーバに送信する支払情報送信手段と、を有するものである。
【０００５】請求項２に記載した考案は、自動販売機、アミューズメントゲーム機、コインロッカーなどの現金収受手段を備えた現金収受機に組み込む小額決済装置であって、インターネットに接続するインターネット接続手段と、支払先及び支払額を取得する支払情報取得手段と、前記現金収受手段が収受した現金の額を取得する収受額取得手段と、　該収受額取得手段にて取得した収受額が前記支払情報取得手段にて取得した支払額よりも多い場合に、前記支払情報取得手段にて取得した情報を前記インターネット接続手段によりリアルタイムでサーバに送信するとともにおつりの支払い情報を前記現金収受機に伝達する支払情報送信手段と、を有するものである。
【０００６】請求項３に記載した考案は、自動販売機、アミューズメントゲーム機、コインロッカーなどの現金収受手段を備えた現金収受機に組み込む小額決済装置であって、インターネットに接続するインターネット接続手段と、支払先及び支払額を取得する支払情報取得手段と、前記現金収受手段が収受した現金の額を取得する収受額取得手段と、該収受額取得手段にて取得した収受額が前記支払情報取得手段にて取得した支払額よりも多い場合に、前記支払情報取得手段にて取得した情報を前記インターネット接続手段によりリアルタイムでサーバに送信するとともにおつりの支払い情報を前記現金収受機に伝達する支払情報送信手段と、つり銭切れの場合に、地域通貨又はポイントとして貯めるポイント管理手段とを有するものである。
【０００７】請求項４に記載した考案は、自動販売機、アミューズメントゲーム機、コインロッカーなどの現金を収受する現金収受手段を備えた現金収受機に組み込む小額決済装置と、インターネットを通じて該小額決済装置に接続される決済情報管理サーバとからなる小額決済システムであって、前記小額決済装置は、インターネットに接続するインターネット接続手段と、支払先及び支払額を取得する支払情報取得手段と、前記現金収受手段が収受した現金の額を取得する収受額取得手段と、該収受額取得手段にて取得した収受額が前記支払情報取得手段にて取得した支払額と同じである場合に、前記支払情報取得手段にて取得した情報を前記インターネット接続手段によりリアルタイムでサーバに送信する支払情報送信手段と、を有し、前記決済情報管理サーバは、支払先サーバ及び収納代行サーバと連携して決裁サービスを実現するものである。
【０００８】請求項５に記載した考案は、自動販売機、アミューズメントゲーム機、コインロッカーなどの現金を収受する現金収受手段を備えた現金収受機に組み込む小額決済装置と、インターネットを通じて該小額決済装置に接続される決済情報管理サーバとからなる小額決済システムであって、前記小額決済装置は、インターネットに接続するインターネット接続手段と、支払先及び支払額を取得する支払情報取得手段と、前記現金収受手段が収受した現金の額を取得する収受額取得手段と、該収受額取得手段にて取得した収受額が前記支払情報取得手段にて取得した支払額よりも多い場合に、前記支払情報取得手段にて取得した情報を前記インターネット接続手段によりリアルタイムでサーバに送信するとともにおつりの支払い情報を前記現金収受機に伝達する支払情報送信手段と、を有し、前記決済情報管理サーバは、支払先サーバ及び収納代行サーバと連携して決裁サービスを実現するものである。
【０００９】請求項６に記載した考案は、自動販売機、アミューズメントゲーム機、コインロッカーなどの現金を収受する現金収受手段を備えた現金収受機に組み込む小額決済装置と、インターネットを通じて該小額決済装置に接続される決済情報管理サーバとからなる小額決済システムであって、前記小額決済装置は、インターネットに接続するインターネット接続手段と、支払先及び支払額を取得する支払情報取得手段と、前記現金収受手段が収受した現金の額を取得する収受額取得手段と、該収受額取得手段にて取得した収受額が前記支払情報取得手段にて取得した支払額よりも多い場合に、前記支払情報取得手段にて取得した情報を前記インターネット接続手段によりリアルタイムでサーバに送信するとともにおつりの支払い情報を前記現金収受機に伝達する支払情報送信手段と、つり銭切れの場合に、地域通貨又はポイントとして貯めるポイント管理手段とを有し、前記決済情報管理サーバは、支払先サーバ及び収納代行サーバと連携して決裁サービスを実現するものである。
【００１０】
【考案の実施の形態】以下、図面を参照しつつ、本考案の実施形態について説明する。図１は、小額決済装置と収納代行社との関係を示す概念図である。一般需要者（企業であることもありえる）である商品購入者は、インターネット上の販売店Ａから商品を購入する。販売店Ａはその集金を収納代行業者に依頼する。本考案にかかる小額決済装置１０は、商品購入者と収納代行社との間を取り持つ位置にある。すなわち商品購入者は街角に設置された小額決裁装置に商品代金にサービス料（収納代行手数料）を加えて支払う。小額決済装置は、インターネット上のサーバと連携して機能した上で、収納代行社にその商品代金とサービス料とを引き渡す。収納代行社は、サービス料（収納代行手数料）を受け取って、商品代金を販売店Ａに引き渡す。
【００１１】図２は、小額決済装置のハードウェア構成を示す概念ブロック図である。この小額決済装置は、たとえば現金収受機の中に組み込まれるアドオンボードとして構成することができるものである。ここに現金収受機とは、ジュースの自動販売機、アミューズメントゲーム機、鉄道の切符自動販売機、コインロッカー、駐車場の料金徴収機など需要者から物品購入、サービス提供の対価として料金を徴収する機能を持った機械をいう。アドオンボードとは、その現金収受機の既存の機能に加えて何らかの機能を付け加える目的で内蔵される回路が組み込まれた基板のことをいう。たとえば、ジュースの自動販売機の中にこの小額決済装置を組み込むことにより、ジュースの自動販売機の既存の機能のほかに、小額決済機能をその機械が果たすことができることとなる。
【００１２】図２で、マイコン１１は、ＰＩＣ　Ｈ８などの汎用的なマイコンを用いることができる。小額決済装置１０は、このマイコン１１のバス上に、インターネット接続用のＴＣＰ／ＩＰ回路１２、必要最小限のＲＯＭ／ＲＡＭ１３、ＲＳ２３２Ｃ／ＩＥＥＥ１３９４／ＵＳＢなどの既存入出力回路１４、汎用入出力回路１５が接続されている。ＲＯＭ１３には、マイコン１１のプログラムが格納されている。ジュースなどの自動販売機には、利用者との間でのマンマシンインタフェースをとるためにボタンのほかにある種の表示画面が設置される場合がある。そのような場合には、それを用いて利用者は小額決済装置の利用を欲する旨の意思表示をする。適切な表示画面が設けられていない場合は、ジュース一本分のスペースを使って表示画面及びボタン（タッチスクリーン）などを設けることによりこのマンマシンインタフェースを実現することができる。どの販売店にどの商品購入の支払いをしたいのかについての特定は、たとえば、バーコード読み取りにより、又は取引コード番号の入力により、することができる。その入力がなされると、マイコン１１は、必要に応じてＴＣＰ／ＩＰを通じてインターネット接続を実行しその取引が存在しまだ代金の収納がなされていないことを確認する。インターネットの接続のために、有線による接続、無線による接続（無線ＬＡＮ、ＰＨＳ電話による接続など）があらかじめ準備される。現金収受機内の他の部分との接続は、汎用入出力回路１５又は既存入出力回路１４のいずれかを用いてなされる。現金の投入額と販売店Ａへの支払いの額とが一致する場合には、その情報をインターネット上のサーバに送信し、その上で、決裁が完了した旨の通知を受けて、それを利用者に知らせる。利用者へ証拠を残すために、その機械にプリンタがある場合はレシートを発行する。また、利用者が携帯電話へのメールを希望する場合などには、ＴＣＰ／ＩＰを通じてメールを送ることも可能である。
【００１３】図３は、小額決済装置の設置例を示す概念図である。前述したように小額決裁装置１０は、現金収受機４０に内蔵される。利用者が現金投入するとその情報（料金データ）は、現金収受機と小額決裁装置１０との間で送受信される。そして、さらにインターネット２０を介して収納代行社のサーバ３０との間で収受データが送受信される。
【実施例】
【００１４】図１に示した実施形態では、商品購入者が収納代行手数料を負担する例を示したが、販売店側が収納代行手数料を負担する実施例もありえる。その場合は、商品購入者は商品代金のみを小額決済装置を通じて支払うこととなる。また、運送料や荷造り手数料などが発生する場合に、商品購入者と販売店とのどちらが負担するかなどについては、それぞれの販売契約によることとなるが、商品購入者が負担する場合には、小額決済装置にその額を含めた現金が投入されることとなる。
【００１５】おつりがない場合、又はおつりが用意できる場合でも商品購入者が小銭の受け取りを欲しない場合、おつりに該当する貨幣価値をポイント（又は地域通貨）に換えてインターネット上のサーバに預けておくこととする実施例も可能である。そして、この小額決済装置を用いたサービスがあちこちでなされるようになると、預けたポイントを別の機会に使うこともできる。その場合には、適切な本人確認の手続きを踏むことになる。また、ジュースの自動販売機にこの小額決済装置を組み込む場合に、その自動販売機設置業者との提携により、ジュースの購入の際のおつりをポイントとして預けることも可能になる。これにより、おつりがなくなった場合でもジュース購入ができることになる。また、ポイントの残りを用いてジュースを買うことができる。ポイントの現金化を許す場合は、おつりがない自販機でジュースを購入後に他の機械に行ってお釣りを受け取ることも可能となる。
【００１６】
【考案の効果】
以上説明したように本考案は、既存の現金収受機の中に組み込んで収納代行サービスを実現する装置及びシステムを実現した。これにより、自動販売機の活用の促進、インターネット通販の利用の促進、小銭を持ち歩かないスマートな消費生活習慣の実現などがなされる。
【図面の簡単な説明】
【図１】小額決済装置と収納代行社との関係を示す概念図である。
【図２】小額決済装置のハードウェア構成を示す概念ブロック図である。
【図３】小額決済装置の設置例を示す概念図である。
【符号の説明】
１０　小額決済装置
１１　マイコン
１２　ＴＣＰ／ＩＰ
１３　ＲＯＭ／ＲＡＭ
１４　ＲＳ２３２Ｃ／ＩＥＥＥ１３９４／ＵＳＢ（既存Ｉ／Ｏ）
１５　汎用Ｉ／Ｏ
２０　インターネット
３０　サーバー
４０　現金収受機
【図１】
0003097521.tif 000003
【図２】
0003097521.tif 000004
【図３】
0003097521.tif 000005